(57)【要約】【課題】履物のソールの厚みを増大させて厚底履物とするための補助的部材であって、自由に履物の種類や意匠を選択することを可能とする。【解決手段】市販されている履物（スリッパ１２）と、該履物１２の履物底１２ｂに粘着剤１５により分離・接合自在に接合した厚底ブロック１１とで厚底履物１０を構成した。前記厚底ブロック１１は、履物１２の履物底１２ｂより大きな外形を有する、ポリウレタン又はポリエチレンよりなる柱状ブロック体とし、前記粘着剤１５として、ウレタン製粘着ゴムから成る粘着剤を採用した。【選択図】      図２
2005046171.tif 000002
【特許請求の範囲】
【請求項１】
履物を厚底履物とするための補助的部材であって、履物の履物底に接合可能であり、履物底よりも大きな平面形状を有し、履物底よりも大きな厚みを有することを特徴とする厚底ブロック。
【請求項２】
前記厚底ブロックをポリウレタン又はポリエチレンを成形して成る柱状ブロック体とした、請求項１に記載の厚底ブロック。
【請求項３】
前記厚底ブロックと、履物底とを粘着剤により分離・接合自在とした、請求項１又は請求項２に記載の厚底ブロック。
【請求項４】
前記粘着剤として、ウレタン樹脂より成る粘着性超低弾性ゴムを使用した、請求項３に記載の厚底ブロック。
【発明の詳細な説明】
【０００１】
【発明の属する技術分野】
本発明は、履物を厚底履物とするための補助的部材の構造に関する。
【０００２】
【従来の技術】
従来、室内用履物としてのスリッパにおいて、床との接触面である履物底と、該底板部よりも上方に位置し、足を挿入する部分である履物本体とを分離可能としたものが提案されている。例えば、特許文献１や特許文献２に記載の技術である。
これらの特許文献に記載の技術においては、底板部と履物本体とを分離可能とするとともに、これらを面ファスナやファスナ、スナップ等の接合手段により分離可能に接合している。これにより、履物本体のみ、或いは、履物底のみを容易に洗浄することができるようにしている。
【０００３】
一方、室内用履物としてのスリッパ、室外用履物としての靴、サンダル、ミュール等にかかわらず、地面又は床との接触部分である履物底を、全体的に厚くして「厚底」としたものが存在している。
特に女性は、踵部分を高くした靴であるハイヒールや、踵部分のみならず底全体を厚くした厚底の靴等、靴により身長を嵩上げすることのできる靴を履くことが多い。また、男性でも、底の分厚い靴を履くことがある。このように厚底の靴は、靴としての意匠性を重視したり、履く人のスタイルをよく見せたりするために、好まれて使用されている。
【０００４】
【特許文献１】
実開平２−９８７０１号公報
【特許文献２】
特開２０００−１５７３０１号公報
【０００５】
【発明が解決しようとする課題】
しかし、これらのいわゆる身長を嵩上げすることのできる「厚底」の靴を履いている状態から、室内に入る際に、靴を脱ぐと、急激に身長が低くなったような錯覚に陥る。これは、それまで履いていた靴により嵩上げされた身長が、その嵩上げぶんだけ低くなったことによるが、当人は違和感を覚えるためである。
【０００６】
また、ズボンやスカート等の裾の長さは、靴を履いた状態において美観が良好となるように決定される。従って、靴を脱いでスリッパに履き替えたとしても、靴と比較してスリッパの踵の高さが低いことが一般的であり、ズボンやスカートの裾を引きずることになる。
【０００７】
また、キッチンに備え付けられるユニットキッチンでは、台の位置において高低の二種のサイズ（高；約８５０ｍｍ、低；約８００ｍｍ）があり、消費者の選択によってそのいずれを購入するかを選択することができる。しかし、近年では、日本人の平均身長が昔と比較して高くなったことに伴い、建て売りや賃貸のマンション等に備え付けられているシステムキッチンは、流し台や天板の位置が高い方のサイズのものであることが一般的となっている。よって、背の低い人においては、天板の位置が高いキッチンは使用しづらいものとなっている。
【０００８】
さらに、室内生活に限定されず、屋外においても、洗濯物を干す際に物干し台に背が低いために手が届きにくい場合や、物置の棚に手が届きにくい場合、剪定等の園芸作業において手が届きにくい場合等、あと少し背が高ければ不便を解消することができる場合が多く見受けられる。
【０００９】
【課題を解決するための手段】
本発明の解決しようとする課題は以上の如くであり、次にこの課題を解決するための手段を説明する。
【００１０】
即ち、請求項１においては、履物を厚底履物とするための補助的部材であって、履物の履物底に接合可能であり、履物底よりも大きな平面形状を有し、履物底よりも大きな厚みを有するものである。
【００１１】
請求項２においては、前記厚底ブロックをポリウレタン又はポリエチレンを成形して成る柱状ブロック体としたものである。
【００１２】
請求項３においては、前記厚底ブロックと、履物底とを粘着剤により分離・接合自在としたものである。
【００１３】
請求項４においては、前記粘着剤として、ウレタン樹脂より成る粘着性超低弾性ゴムを使用したものである。
【００１４】
【発明の実施の形態】
次に、発明の実施の形態を説明する。
図１は本実施例に係るスリッパとしての厚底履物の全体的な構成を示した斜視図、図２は本実施例に係る厚底履物の全体的な構成を示した斜視図、図３は厚底履物の平面図、図４は厚底履物の左側面図である。図５は厚底履物の正面図、図６は厚底履物の背面図、図７は厚底履物の底面図である。
図８は厚底ブロックの平面図、図９は厚底ブロックの左側面図、図１０は厚底ブロックの正面図である。図１１は別形態の厚底ブロックを採用した厚底履物の左側面図である。
図１２は本実施例に係るビーチサンダルとしての厚底履物の全体的な構成を示した斜視図である。
なお、厚底履物は左右対称のもの一対で構成されるが、図２乃至図１１において、そのうち右方のもののみを表している。
【００１５】
本発明の実施例として、図１に示す如く、本発明に係る厚底ブロック１１を、室内用履物であるスリッパ１２に接合したものを示す。
【００１６】
図２乃至図７に示す如く、本実施例に係る厚底履物１０（室内用履物）は、一般に履物として市販されているスリッパ１２と、該スリッパ１２の履物底１２ｂに接合された厚底ブロック１１と、これらを接合している粘着剤１５より成る。前記厚底履物１０は、「厚底」の履物であって、しかも、該厚底履物１０を構成するスリッパ１２と、該厚底ブロック１１とを、分離・接合自在であることを主たる特徴としている。
【００１７】
上述の如く接着固定したスリッパ１２と厚底ブロック１１から成る厚底履物１０は、そのスリッパ１２よりも厚底ブロック１１の高さだけ履物の底を嵩上げすることができる。すなわち、既存のスリッパを履いたときと比較して、厚底ブロック１１の高さぶんだけ厚底履物１０を履いた人の背を嵩上げすることができる。
【００１８】
これにより、室内に入る際に、底の厚い（踵の高い）靴から厚底履物１０に履き替えることで、急激に身長が低くなったような違和感を取り除くことができる。
また、室内に入る際に、靴から厚底履物１０に履き替えることで、ズボンやスカートの裾を引きずることを防止するために十分な、足裏から床面までの離間距離を得ることができる。
また、ソファや椅子に座ったときに、足の裏全体を床に着けることのできなかった人でも、厚底履物１０を履くことで膝から下の部分を、厚底履物１０の裏全体を床に着けることができるために十分な長さとすることができ、足が浮くことがなくなって楽な姿勢をとることができるので、腰や脚への負担の低減を図ることができる。特に、デスクワーク等の、長時間椅子に着座し続ける場合においては、姿勢を正しくすることによって、体への負担や疲れの低減が期待される。
また、流し台の高さの高いキッチンにおいて、厚底履物１０を履くことで腰の位置を、台所仕事をするときの姿勢が楽となるために適した高さとなるまで高くすることができ、作業がし易い状態を現出することができる。
また、厚底履物１０を履くことで床から足裏までの距離を従来のスリッパと比較して大きくすることができ、特に冬の寒い時期において、床の冷たさを足に伝え難いようにすることができる。
【００１９】
ここで、前記厚底ブロック１１について説明する。
図８乃至図１０に示す如く、前記厚底ブロック１１は、該厚底ブロック１１に接合する履物であるスリッパ１２の履物底１２ｂと略相似する長円を平断面形状とする中実な柱状ブロック体であって、その平断面はスリッパ１２の履物底１２ｂの外周よりも一回り大きな形状のものである。好ましくは厚底ブロック１１の平断面の外周が、スリッパ１２の履物底１２ｂの外周よりも５ｍｍ以上外方に位置するものとする。
【００２０】
また、前記厚底ブロック１１は、該厚底ブロック１１に接合する履物であるスリッパ１２のソールの高さよりも大きな上下高さ（厚み）を有している。好ましくは、厚底ブロック１１は高さＨ＝８０ｍｍ〜１２０ｍｍ程度とし、感覚的にも十分な身長の嵩上げを図ることができるものとする。本実施例では、厚底履物１０の踵の厚みが少なくとも１００ｍｍ以上となるようにして、厚底履物１０を履くことによって、身長が少なくとも１００ｍｍ以上嵩上げされるように構成している。
【００２１】
前記厚底ブロック１１の上面を履物接合面１１ｂとし、同じく底面を床接触面１１ａとする。なお、厚底ブロック１１の柱状周面１１ｃは、自在に意匠を施すことができる。
このように、スリッパ１２の履物底１２ｂに対して、厚底ブロック１１の履物接合面１１ｂの大きさを大きくすることで、スリッパ１２を厚底ブロック１１にて安定して支持することができる。よって、厚底であっても安定性があり、厚底履物１０を履いて歩行する際のぐらつきやふらつきの抑制を図ることができる。
【００２２】
また、厚底ブロック１１は、ポリウレタン素材又はポリエチレン素材を成型して成る柱状ブロック体である。
なお、厚底ブロック１１をポリウレタン素材で構成するときには、ウレタンフォームを型抜きして成型する。また、厚底ブロック１１をポリエチレン素材で構成するときには金型を利用して成型する。
【００２３】
このように、ポリウレタン素材又はポリエチレン素材によって厚底ブロック１１を構成することにより、体積に比して軽量なものとすることができる。従って、厚底ブロック１１は中実であるが、軽量であり、従来の厚底履物１０と比較して、重さの増加を最低限に抑制することができる。
また、厚底ブロック１１は、その平断面形状は略一定であり、従って、中実且つ平底となる。これにより、厚底履物１０を履いて歩行する際の安定性を付与している。
【００２４】
なお、図１１に示す如く、前記厚底ブロック１１の履物接合面１１ｂに傾斜を設けることもできる。
この場合、厚底ブロック１１の履物接合面１１ｂの長尺方向に傾斜を設けて、該履物接合面１１ｂにおいて低い方にスリッパ１２のつま先側が、高い方にスリッパ１２の踵側が来るように、スリッパ１２と厚底ブロック１１とを接合する。厚底ブロック１１の履物接合面１１ｂに傾斜を設けることによって、スリッパ１２に予め形成されている中敷き部分１２ａの傾きよりも大きな傾きを、中敷き部分１２ａに与えることができる。これにより、スリッパ１２の中敷き部分１２ａに適度な傾斜を与えることができ、疲れにくい厚底履物１０とすることができる。
【００２５】
前記厚底ブロック１１と、履物であるスリッパ１２とは、エステル系ウレタン樹脂で構成される粘着性超低弾性ゴムを利用した粘着剤（接着剤）１５を用いて固定する。
エステル系ウレタン樹脂製の粘着性超低弾性ゴムより成る粘着剤１５は、加圧することにより強力な粘着力（接着力）が生じ、一旦粘着すると、強力な粘着力が生じ被粘着面より剥がれにくいが、一方で、被粘着面にのりを残すことなく剥がすことができ、繰り返し使用することができる。また、粘着剤１５の粘着力が、埃の付着等により低下しても、これらの付着物を水等で洗浄して取り除くことにより、強力な粘着力が再生する。
【００２６】
粘着剤１５は、シート状であって、厚底ブロック１１のスリッパ１２との接合面と、スリッパ１２の底面との間において、適宜位置に適宜数介挿し、スリッパ１２と厚底ブロック１１とを接合する方向へ互いに加圧して、粘着剤を介して厚底ブロック１１とスリッパ１２とを固着させる。
前述の特性を有する粘着剤１５・１５・１５にてスリッパ１２と厚底ブロック１１とを接合させることで、スリッパ１２と厚底ブロック１１とが、分離・接合自在となる。また、これらは強固に接合され、通常の歩行では分離することがない。さらに、スリッパ１２と厚底ブロック１１との分離・接合を繰り返しても、これらの接合力の低下が小さいため、長く使用することができる。仮に、粘着剤１５の粘着力が低下し、回復しないときは、新たに粘着剤を用意し、これを使用する。
【００２７】
なお、粘着剤１５は、ウレタン製の厚底ブロック１１に接着しないときには、厚底ブロック１１のスリッパ１２との接合面に別素材であってウレタン接着素材より成る粘着剤と接合可能なシートを接着して、このシートを介して粘着剤と厚底ブロック１１とを固定させることができる。粘着剤と接合可能なシートとして、例えば、ポリプロピレン製のシートやテープ等を利用することができる。
【００２８】
また、必要に応じて粘着剤１５の厚みを変更させることができる。これにより、厚底履物１０の底が平坦なものであるときに、踵部分に配置した粘着剤１５を、つま先部分に配置した粘着剤１５と比較して分厚いものとすれば、厚底履物１０はつま先に対して踵がやや高くなり、歩き易く疲れにくいものとすることができる。
【００２９】
さらに、スリッパ１２と厚底ブロック１１との間に介挿する複数の粘着剤１５・１５・１５の厚みをそれぞれ違えることもできる。例えば、スリッパ１２の履物底１２ｂが略平面ではなく、つま先部分や踵部分が浮いた状態に反っていたり、前後中央部分が浮いた状態に湾曲していたりするような場合は、その履物底１２ｂの形状に応じて浮いている部分に配設する粘着剤１５の厚みを他の部分に配設する粘着剤１５・１５と比較して厚みの大きいものとすれば、スリッパ１２と厚底ブロック１１とを良好に接合することができる。
【００３０】
なお、スリッパ１２と厚底ブロック１１とを接合する手段は、上記粘着剤に限定されるものではなく、例えば、面ファスナやスナップ等の、分離・接合が繰り返し可能である接合手段を用いることができる。
【００３１】
上述の如く、スリッパ１２と厚底ブロック１１とを分離・接合自在とすることで、分離した状態でそれぞれを取り扱うことができ、例えば、厚底履物１０を洗浄する際に都合が良い。
スリッパ１２は、人の足の裏に接する中敷き部分１２ａが特に汚れやすく、また、厚底ブロック１１は床に接する床接触面１１ａが汚れやすいが、スリッパ１２と厚底ブロック１１のうちいずれか一方が汚れたときに、これを分離して洗浄することができる。また、スリッパ１２と厚底ブロック１１との素材が大幅に異なるときに、これらをそれぞれに適した洗浄手段を用いて洗浄することができる。
【００３２】
また、スリッパ１２と厚底ブロック１１とを分離・接合自在とすることで、いずれか一方のみを交換することができる。
スリッパ１２は、一般に市販されている履物であり、厚底履物１０を履く人の好みに応じたものを選択することができる。これによりスリッパ１２の素材、色等は自在に選択することができる。また、季節に応じてスリッパ１２を交換して、厚底履物１０の保温性や意匠性を変化させることができ、これに際して、厚底ブロック１１は季節を問わず一年を通して同一のものを使用することができる。さらに、厚底ブロック１１のみ著しく汚れたりや老朽化したりすれば、厚底ブロック１１のみを新しいものと交換して、スリッパ１２を継続して使用することができる。
【００３３】
なお、本発明に係る厚底ブロック１１を接合させる履物は、前記実施例にて採用したスリッパ等の室内用履物に限定されることなく、草履、サンダル、ビーチサンダル、ミュール、靴、屋外用履物等とすることもできる。
【００３４】
例えば、図１２に示す如く、ビーチサンダル１２’のソールの裏面に、厚底ブロック１１を接合して、厚底履物１０とすることができる。ビーチサンダルはビーチで履くものであるが、ソールが薄いと、歩いているうちに足に砂が付着することがあるが、これを厚底履物１０とすることで、足に砂が付着することなくビーチを歩くことができる。さらに、脚を長く見せることができる。
また、砂が付着した厚底ブロック１１や粘着剤１５は水で洗浄することにより砂を取り除くことができ、再度、スリッパ等の室内用履物に厚底ブロック１１を接合して使用することができる。
【００３５】
【発明の効果】
本発明は、以上のように構成したので、以下に示すような効果を奏する。
【００３６】
即ち、請求項１に示す如く、履物を厚底履物とするための補助的部材であって、履物の履物底に接合可能であり、履物底よりも大きな平面形状を有し、履物底よりも大きな厚みを有するので、
履物の種類・形態を問わず、厚底の履物とすることができ、また、厚底の履物の意匠を自由に選択することができる。また、厚底履物を構成する、履物のみ、厚底ブロックのみを交換したり、洗浄したりすることができる。そして、歩行時の安定性を確保することができる。
【００３７】
請求項２に示す如く、前記厚底ブロックをポリウレタン又はポリエチレンを成形して成る柱状ブロック体としたので、
厚底履物を厚底であっても軽量なものとすることができる。
【００３８】
請求項３に示す如く、前記厚底ブロックと、履物底とを粘着剤により分離・接合自在としたので、
厚底ブロックに接合する履物を自在に選択することができる。また、履物と厚底ブロックのいずれか片方を交換したり、洗浄したりすることが容易となる。
【００３９】
請求項４に示す如く、前記粘着剤として、ウレタン樹脂より成る粘着性超低弾性ゴムを使用したので、
履物と厚底ブロックとの分離・接合を繰り返しても、良好な粘着性が保持され、スリッパと厚底ブロックとが簡易な接合・分離作業により分離・接合自在となる。
【図面の簡単な説明】
【図１】本実施例に係るスリッパとしての厚底履物の全体的な構成を示した斜視図。
【図２】本実施例に係る厚底履物の全体的な構成を示した斜視図。
【図３】厚底履物の平面図。
【図４】厚底履物の左側面図。
【図５】厚底履物の正面図。
【図６】厚底履物の背面図。
【図７】厚底履物の底面図。
【図８】厚底ブロックの平面図。
【図９】厚底ブロックの左側面図。
【図１０】厚底ブロックの正面図。
【図１１】別形態の厚底ブロックを採用した厚底履物の左側面図。
【図１２】本実施例に係るビーチサンダルとしての厚底履物の全体的な構成を示した斜視図。
【符号の説明】
１０  厚底履物
１１  厚底ブロック
１２  スリッパ
１５  粘着剤
【図１】
2005046171.tif 000003
【図２】
2005046171.tif 000004
【図３】
2005046171.tif 000005
【図４】
2005046171.tif 000006
【図５】
2005046171.tif 000007
【図６】
2005046171.tif 000008
【図７】
2005046171.tif 000009
【図８】
2005046171.tif 000010
【図９】
2005046171.tif 000011
【図１０】
2005046171.tif 000012
【図１１】
2005046171.tif 000013
【図１２】
2005046171.tif 000014